【手続補正書】
【提出日】平成28年12月16日(2016.12.16)
【手続補正１】
【補正対象書類名】特許請求の範囲
【補正対象項目名】全文
【補正方法】変更
【補正の内容】
【特許請求の範囲】
【請求項１】
呼にサービス品質(QoS)を動的に適用する方法であって、
前記呼が開始した後に加入者のパケット送信状態を判定するステップと、
QoSが前記加入者に現在割り振られているか否かを、前記加入者が前記呼に関連するパケットを送信していることを示す前記パケット送信状態に基づいて判定するステップと、
QoSが前記加入者に現在割り振られていないことと前記パケット送信状態が前記加入者 が前記呼に関連するパケットを送信中であることを示すこととに基づいて前記加入者にQoSを割り振るステップと
を含む、方法。
【請求項２】
前記呼に関連する1つまたは複数の基準を判定するステップをさらに含む、請求項1に記載の方法。
【請求項３】
前記加入者に前記QoSを割り振る前記ステップは、前記呼に関連する前記1つまたは複数 の基準にさらに基づいている、請求項2に記載の方法。
【請求項４】
前記1つまたは複数の基準は、ネットワークロードまたはサービスの貨幣化に関連する1 つまたは複数の基準を含む、請求項2に記載の方法。
【請求項５】
前記サービスの貨幣化に関連する前記1つまたは複数の基準は、前記加入者が前記QoSに 対して支払う意志があるか否かに関連する1つまたは複数の基準を含む、請求項4に記載の 方法。
【請求項６】
前記ネットワークロードに関連する前記1つまたは複数の基準は、前記加入者に前記QoS を割り振るための利用可能なネットワーク容量が存在するか否かに関連する1つまたは複 数の基準を含む、請求項4に記載の方法。
【請求項７】
前記1つまたは複数の基準を判定する前記ステップは、前記加入者が前記呼を許可され た後に生じる、請求項2に記載の方法。
【請求項８】
前記パケット送信状態を判定するステップは、前記加入者が前記呼に関する発言権許可 を受信したか否かを判定するステップを含む、請求項1に記載の方法。
【請求項９】
前記パケット送信状態を判定するステップは、前記加入者が前記呼に関する発言権許可 を要求したか否かを判定するステップを含む、請求項1に記載の方法。
【請求項１０】
前記パケット送信状態が前記加入者がパケットを送信中であることを示すことは、パケット送信状態が前記加入者が前記呼に関する前記発言権許可を要求したことを示すことを含む、請求項9に記載の方法。
【請求項１１】
前記パケット送信状態を判定するステップは、前記加入者が現在通信中であるか否かを 判定するステップを含む、請求項1に記載の方法。
【請求項１２】
前記加入者が現在通信中であるか否かを判定するステップは、前記加入者が話している かまたはメディアファイルを送信しているか否かを判定するステップを含む、請求項11に 記載の方法。
【請求項１３】
前記QoS割振りの確認は、前記加入者への発言権許可の前に提供される、請求項1に記載 の方法。
【請求項１４】
前記QoS割振りの確認は、前記加入者への発言権許可の後に提供される、請求項1に記載 の方法。
【請求項１５】
前記呼は、voice over Internet Protocol(VoIP)呼、voice overロングタームエボリュ ーション(VoLTE)呼、またはプッシュツートーク(PTT)over cellular(PoC)呼を含む、請求 項1に記載の方法。
【請求項１６】
呼にサービス品質(QoS)を動的に適用するための装置であって、
前記呼が開始した後に加入者のパケット送信状態を判定し、
QoSが前記加入者に現在割り振られているか否かを、前記加入者が前記呼に関連するパケットを送信していることを示す前記パケット送信状態に基づいて判定し、
QoSが前記加入者に現在割り振られていないことと前記パケット送信状態が前記加入者 が前記呼に関連するパケットを送信中であることを示すこととに基づいて前記加入者にQoSを割り振る
ように構成された少なくとも1つのプロセッサを含む、装置。
【請求項１７】
前記少なくとも1つのプロセッサはさらに、前記呼に関連する1つまたは複数の基準を判定するように構成される、請求項16に記載の装置。
【請求項１８】
前記加入者への前記QoSの前記割振りは、前記呼に関連する前記1つまたは複数の基準にさらに基づいている、請求項17に記載の装置。
【請求項１９】
前記1つまたは複数の基準は、ネットワークロードまたはサービスの貨幣化に関連する1 つまたは複数の基準を含む、請求項17に記載の装置。
【請求項２０】
前記サービスの貨幣化に関連する前記1つまたは複数の基準は、前記加入者が前記QoSに 対して支払う意志があるか否かに関連する1つまたは複数の基準を含む、請求項19に記載 の装置。
【請求項２１】
前記ネットワークロードに関連する前記1つまたは複数の基準は、前記加入者に前記QoS を割り振るための利用可能なネットワーク容量が存在するか否かに関連する1つまたは複 数の基準を含む、請求項19に記載の装置。
【請求項２２】
前記1つまたは複数の基準の前記判定は、前記加入者が前記呼を許可された後に生じる、請求項17に記載の装置。
【請求項２３】
前記少なくとも1つのプロセッサが前記パケット送信状態を判定するように構成されることは、前記少なくとも1つのプロセッサが、前記加入者が前記呼に関する発言権許可を受信したか否かを判定するように構成されることを含む、請求項16に記載の装置。
【請求項２４】
前記少なくとも1つのプロセッサが前記パケット送信状態を判定するように構成されることは、前記少なくとも1つのプロセッサが前記加入者が前記呼に関する発言権許可を要求したか否かを判定するように構成されることを含む、請求項16に記載の装置。
【請求項２５】
前記パケット送信状態が前記加入者がパケットを送信中であることを示すことは、パケット送信状態が前記加入者が前記呼に関する前記発言権許可を要求したことを示すことを含む、請求項24に記載の装置。
【請求項２６】
前記少なくとも1つのプロセッサが前記パケット送信状態を判定するように構成されることは、前記少なくとも1つのプロセッサが前記加入者が現在通信中であるか否かを判定するように構成されることを含む、請求項16に記載の装置。
【請求項２７】
前記少なくとも1つのプロセッサが前記加入者が現在通信中であるか否かを判定するように構成されることは、前記少なくとも1つのプロセッサが前記加入者が話しているかまたはメディアファイルを送信しているか否かを判定するように構成されることを含む、請求項26に記載の装置。
【請求項２８】
前記QoS割振りの確認は、前記加入者への発言権許可の前に提供される、請求項16に記 載の装置。
【請求項２９】
前記QoS割振りの確認は、前記加入者への発言権許可の後に提供される、請求項16に記 載の装置。
【請求項３０】
前記呼は、voice over Internet Protocol(VoIP)呼、voice overロングタームエボリュ ーション(VoLTE)呼、またはプッシュツートーク(PTT)over cellular(PoC)呼を含む、請求 項16に記載の装置。
【請求項３１】
呼にサービス品質(QoS)を動的に適用するための装置であって、
前記呼が開始した後に加入者のパケット送信状態を判定するための手段と、
QoSが前記加入者に現在割り振られているか否かを、前記加入者が前記呼に関連するパケットを送信していることを示す前記パケット送信状態に基づいて判定するための手段と、
QoSが前記加入者に現在割り振られていないことと前記パケット送信状態が前記加入者 が前記呼に関連するパケットを送信中であることを示すこととに基づいて前記加入者にQoSを割り振るための手段と
を含む、装置。
【請求項３２】
呼にサービス品質(QoS)を動的に適用するための非一時的コンピュータ可読記録媒体で あって、
前記呼が開始した後加入者のパケット送信状態を判定するための少なくとも1つの命令 と、
QoSが前記加入者に現在割り振られているか否かを、前記加入者が前記呼に関連するパケットを送信していることを示す前記パケット送信状態に基づいて判定するための少なくとも1つの命令と、
QoSが前記加入者に現在割り振られていないことと前記パケット送信状態が前記加入者 が前記呼に関連するパケットを送信中であることを示すこととに基づいて前記加入者にQoSを割り振るための少なくとも1つの命令と
を含む、非一時的コンピュータ可読記録媒体。